(57)【要約】【課題】排尿時において、男性性器を容易に取り出し可能な使い捨ておむつを提供すること。【解決手段】使い捨ておむつは、装着時における前身頃と、後身頃と、を少なくとも有するシャーシーと、該シャーシーの少なくとも一部に配設される液透過性の表面シートと、該表面シートの厚さ方向における一方側に配設される液不透過性の裏面シートと、前記表面シートと前記裏面シートとの間に配設される液保持性の吸収体と、を備える。シャーシーの前記前身頃には、前記使い捨ておむつの長手方向に伸び、幅方向を二分する略中心線を跨いで互いに離間した点のそれぞれを結ぶ切り離し線に沿って前記前身頃の所定の部位を切り離し可能に形成される開口可能部と、該開口可能部を覆うように配置される補助シートと、が設けられている。【選択図】図２
2008079837.tif 000002
【特許請求の範囲】
【請求項１】
装着時における前身頃と、後身頃と、を少なくとも有するシャーシーと、該シャーシーの少なくとも一部に配置される液透過性の表面シートと、該表面シートの厚さ方向における一方側に配置される液不透過性の裏面シートと、前記表面シートと前記裏面シートとの間に配置される液保持性の吸収体と、を備える使い捨ておむつであって、
前記シャーシーの前記前身頃には、前記使い捨ておむつの長手方向に伸び、幅方向を二分する略中心線を跨いで互いに離間した点のそれぞれを結ぶ切断誘導線に沿って前記前身頃における前記シャーシーの所定の部位を切り離し可能に形成される開口可能部と、該開口可能部を覆うように設けられる補助シートと、を有する使い捨ておむつ。
【請求項２】
前記開口可能部は、前記切断誘導線に沿ってスリット状の切断部を間欠的に設けることにより形成される請求項１に記載の使い捨ておむつ。
【請求項３】
前記開口可能部は、前記切断誘導線に沿って前記シャーシーを薄肉状にすることにより形成される請求項１に記載の使い捨ておむつ。
【請求項４】
前記吸収体は、略縦長に形成されると共に、少なくとも前記前身頃に配置されており、
前記開口可能部は、前記前身頃における前記吸収体の外縁から離間した位置に形成される請求項１から３のいずれかに記載の使い捨ておむつ。
【請求項５】
該使い捨ておむつは、前記シャーシーの前記前身頃と前記後身頃とを所定の位置において、予め又は装着時に接合又は係止させることにより、胴開口部と、一対の脚開口部と、を備えるパンツ形状に形成可能であり、
パンツ形状における前記シャーシーは、少なくともその一部が伸縮若しくは伸張可能に形成される請求項１から４のいずれかに記載の使い捨ておむつ。
【請求項６】
パンツ形状における前記シャーシーは、前記胴開口部の前記後身頃における略中央と、前記開口可能部の股下方向側にある股間部の近傍と、をパンツ形状における前記シャーシーの胴周囲に沿って繋ぐことにより形成される開口伸縮領域を備え、
該開口伸縮領域は、少なくともその一部が伸縮若しくは伸張可能に形成される請求項５に記載の使い捨ておむつ。
【請求項７】
前記開口伸縮領域における非伸張時に対する伸張時の伸張倍率が、１．１倍から４．０倍の範囲にある請求項６に記載の使い捨ておむつ。
【請求項８】
前記開口伸縮領域の非伸張時における胴周囲の長さを１００％とした場合に、該開口伸縮領域の胴周囲の長さを少なくとも非伸張時における胴周囲の長さの１５０％になるまで伸張させた場合の引張応力が、２０Ｎ以下である請求項６に記載の使い捨ておむつ。
【請求項９】
パンツ形状における前記シャーシーは、前記前身頃と前記後身頃との接合又は係止位置を含む境界部近傍の全部又は一部に形成される弾性境界領域を備え、
該弾性境界領域は、少なくともその一部が伸縮若しくは伸張可能に形成される請求項５に記載の使い捨ておむつ。
【請求項１０】
前記補助シートは、その全部又は一部に弾性部材を備える請求項１から９のいずれかに記載の使い捨ておむつ。
【請求項１１】
前記補助シートは、その全部又は一部に吸収性部材を備える請求項１から１０のいずれかに記載の使い捨ておむつ。
【請求項１２】
前記開口可能部の略中央には、前記切断誘導線の一部を切断した開裂部が設けられる請求項１から１１のいずれかに記載の使い捨ておむつ。
【請求項１３】
前記開口可能部の両端部には、所定形状の穴部又は湾曲部が設けられる請求項１から１２のいずれかに記載の使い捨ておむつ。
【請求項１４】
前記開口可能部の両端部には、剛性の高い補強部材が配置される請求項１から１３のいずれかに記載の使い捨ておむつ。
【請求項１５】
前記開口可能部の近傍には、該開口可能部の存在を示唆する案内標識が設けられる請求項１から１４のいずれかに記載の使い捨ておむつ。
【請求項１６】
前記案内標識は、色彩を付与することにより前記開口可能部の存在を示唆する請求項１５に記載の使い捨ておむつ。
【請求項１７】
前記案内標識は、凹凸により前記開口可能部の存在を示唆する請求項１５に記載の使い捨ておむつ。
【請求項１８】
前記開口可能部の股間部側には、開口補助具が設けられる請求項１から１７のいずれかに記載の使い捨ておむつ。
【発明の詳細な説明】
【技術分野】
【０００１】
本発明は、使い捨ておむつに関する。特に、容易に男性性器を取り出し可能な使い捨ておむつに関する。
【背景技術】
【０００２】
従来より、高齢者や身障者等が使用する吸収性物品として、使い捨ておむつ、トレーニングパンツ、失禁用パンツなどがある。これらの吸収性物品は、いずれも着用者の生活習慣や介護レベルに応じて使い分けられている。例えば、使い捨ておむつは、高齢者や身障者等のように自力での排泄行為が困難な人に対して、その排泄物を漏らすことなく保持吸収することにより、排泄等のための補助具として、又は介護用衛生品として、使用されている。
【０００３】
ここで、使い捨ておむつは、自力での排尿行為が困難な人だけでなく、軽度の失禁症等の身障者や歩行が可能な高齢者等のような自力での排尿行為が可能な人であっても使用する場合がある。しかしながら、軽度の失禁症の身障者や歩行が可能な高齢者等にとっては、おむつが一般的に自力での排尿行為が困難な人が使用するものであるという印象により、おむつを穿くこと自体に抵抗感を有することが多かった。これは、従来のおむつが漏れ防止の観点より、排尿時において、一般的な男性用下着に備えられているような男性性器を取り出すための排尿用取出し口等を有していないためである。これにより、自力で排尿する場合には、個室に入り、おむつを脱ぐ等の一般的な排尿時における行為とは異なる行為を必要としていた。そして、このような行為は、特に男性の着用者にとっては大変煩雑な行為であり、おむつを穿くことに対してより一層の抵抗感を与えるものであった。
【０００４】
これに対し、紙おむつの着用時であっても男性の性器の取り出しを可能とする吸収性物品が開示されている（例えば、特許文献１参照）。
【０００５】
特許文献１に記載の吸収性物品は、内面シートと、外面シートと、これらの間に設けられる中間シートとを備え、着用時に着用者の腹側に位置する腹側部と、背側に位置する背側部と、その間の股下部とに区分される紙おむつ本体と、紙おむつ本体の股下部に貼着される吸収体を有する。腹側部の内面及び外面シートには、装着時に男性性器を取り出し可能な開口部を形成するためのミシン目が設けられ、止着材をはずし、中間シートをずらすことにより内面及び外面シートの開口部が連通して腹側部に貫通口が形成可能に構成されている。これにより、紙おむつ装着時であっても男性性器の取り出しができるというものである。
【特許文献１】特開２００５−８０９９６号公報
【発明の開示】
【発明が解決しようとする課題】
【０００６】
しかしながら、特許文献１に開示の紙おむつは、腹側部の内面及び外面シートに性器を取り出すための開口部は形成されているが、この開口部は、開口のみの構成であるため広げにくいという問題があった。また、この紙おむつは、着用者が排尿するにあたり、男性性器を開口部から取り出すために様々な動作を必要としていた。例えば、男性性器を取り出すにあたり、中間シートをずらすために中間シートの止着部材を外す必要があった。このような行為は、例えば、麻痺等により片手しか使えない着用者にとっては、自力での排尿行為を困難なものとするものであった。さらには、中間シートを止着部材から外すとき、特有の音を発生させるおそれがあった。これにより、排尿時において周囲に紙おむつを着用していることを気づかれるおそれがあり、この紙おむつを使用することに対する抵抗感を増加させるものであった。
【０００７】
本発明は、以上のような課題に鑑みてなされたものであり、排尿時において、男性性器を容易に取り出し可能な使い捨ておむつを提供することを目的とする。
【課題を解決するための手段】
【０００８】
本発明者は、上記目的を達成するために、使い捨ておむつの所定位置に排尿用の開口可能部を設けると共に、使い捨ておむつにおける所定の部位を伸縮可能に形成することにより、排尿行為が容易になることを見出し、本発明を完成するに至った。具体的には、以下のような使い捨ておむつを提供することを目的とする。
【０００９】
（１）  装着時における前身頃と、後身頃と、を少なくとも有するシャーシーと、該シャーシーの少なくとも一部に配置される液透過性の表面シートと、該表面シートの厚さ方向における一方側に配置される液不透過性の裏面シートと、前記表面シートと前記裏面シートとの間に配置される液保持性の吸収体と、を備える使い捨ておむつであって、前記シャーシーの前記前身頃には、前記使い捨ておむつの長手方向に伸び、幅方向を二分する略中心線を跨いで互いに離間した点のそれぞれを結ぶ切断誘導線に沿って前記前身頃における前記シャーシーの所定の部位を切り離し可能に形成される開口可能部と、該開口可能部を覆うように設けられる補助シートと、を有する使い捨ておむつ。
【００１０】
（２）  前記開口可能部は、前記切断誘導線に沿ってスリット状の切断部を間欠的に設けることにより形成される（１）に記載の使い捨ておむつ。
【００１１】
（３）  前記開口可能部は、前記切断誘導線に沿って前記シャーシーを薄肉状にすることにより形成される（１）に記載の使い捨ておむつ。
【００１２】
（４）  前記吸収体は、略縦長に形成されると共に、少なくとも前記前身頃に配置されており、前記開口可能部は、前記前身頃における前記吸収体の外縁から離間した位置に形成される（１）から（３）のいずれかに記載の使い捨ておむつ。
【００１３】
（５）  該使い捨ておむつは、前記シャーシーの前記前身頃と前記後身頃とを所定の位置において、予め又は装着時に接合又は係止させることにより、胴開口部と、一対の脚開口部と、を備えるパンツ形状に形成可能であり、パンツ形状における前記シャーシーは、少なくともその一部が伸縮若しくは伸張可能に形成される（１）から（４）のいずれかに記載の使い捨ておむつ。
【００１４】
（６）  パンツ形状における前記シャーシーは、前記胴開口部の前記後身頃における略中央と、前記開口可能部の股下方向側にある股間部の近傍と、をパンツ形状における前記シャーシーの胴周囲に沿って繋ぐことにより形成される開口伸縮領域を備え、該開口伸縮領域は、少なくともその一部が伸縮若しくは伸張可能に形成される（５）に記載の使い捨ておむつ。
【００１５】
（７）  前記開口伸縮領域における非伸張時に対する伸張時の伸張倍率が、１．１倍から４．０倍の範囲にある（６）に記載の使い捨ておむつ。
【００１６】
（８）  前記開口伸縮領域の非伸張時における胴周囲の長さを１００％とした場合に、該開口伸縮領域の胴周囲の長さを少なくとも非伸張時における胴周囲の長さの１５０％になるまで伸張させた場合の引張応力が、２０Ｎ以下である（６）に記載の使い捨ておむつ。
【００１７】
（９）  パンツ形状における前記シャーシーは、前記前身頃と前記後身頃との接合又は係止位置を含む境界部近傍の全部又は一部に形成される弾性境界領域を備え、該弾性境界領域は、少なくともその一部が伸縮若しくは伸張可能に形成される（５）に記載の使い捨ておむつ。
【００１８】
（１０）  前記補助シートは、その全部又は一部に弾性部材を備える（１）から（９）のいずれかに記載の使い捨ておむつ。
【００１９】
（１１）  前記補助シートは、その全部又は一部に吸収性部材を備える（１）から（１０）のいずれかに記載の使い捨ておむつ。
【００２０】
（１２）  前記開口可能部の略中央には、前記切断誘導線の一部を切断した開裂部が設けられる（１）から（１１）のいずれかに記載の使い捨ておむつ。
【００２１】
（１３）  前記開口可能部の両端部には、所定形状の穴部又は湾曲部が設けられる（１）から（１２）のいずれかに記載の使い捨ておむつ。
【００２２】
（１４）  前記開口可能部の両端部には、剛性の高い補強部材が配置される（１）から（１３）のいずれかに記載の使い捨ておむつ。
【００２３】
（１５）  前記開口可能部の近傍には、該開口可能部の存在を示唆する案内標識が設けられる（１）から（１４）のいずれかに記載の使い捨ておむつ。
【００２４】
（１６）  前記案内標識は、色彩を付与することにより前記開口可能部の存在を示唆する（１５）に記載の使い捨ておむつ。
【００２５】
（１７）  前記案内標識は、凹凸により前記開口可能部の存在を示唆する（１５）に記載の使い捨ておむつ。
【００２６】
（１８）  前記開口可能部の股間部側には、開口補助具が設けられる（１）から（１７）のいずれかに記載の使い捨ておむつ。
【発明の効果】
【００２７】
本発明によれば、排尿時において、男性性器を容易に取り出し可能な使い捨ておむつを提供することができる。
【発明を実施するための最良の形態】
【００２８】
以下、本発明の実施形態について、図面を参照しながら説明する。なお、本発明の実施形態は、下記の実施形態に何ら限定されることなく、本発明の技術的範囲は、これに限定されるものではない。例えば、本実施形態においては、大人用の使い捨ておむつについて説明するが、本発明においてはこれに限らず、子供のトイレトレーニング用の使い捨ておむつ等について使用してもよい。
【００２９】
また、以下の実施形態において、使い捨ておむつのうち着用者の身体に向けられる側を肌当接面側とし、肌当接面側と反対側を非肌当接面側とする。
【００３０】
図１は、本発明の第１実施形態に係る使い捨ておむつの展開状態における斜視分解組立図である。図２（Ａ）は、本発明の第１実施形態に係る使い捨ておむつの正面図である。図２（Ｂ）は、図２（Ａ）のＸ−Ｘ断面図である。図３（Ａ）は、パンツ型の使い捨ておむつの装着状態を示す図である。図３（Ｂ）は、展開型の使い捨ておむつの装着状態を示す図である。図４（Ａ）は、第１実施形態に係る使い捨ておむつの弾性部材の配置を示す展開図である。図４（Ｂ）は、図４（Ａ）の使い捨ておむつをパンツ型に形成した正面図である。図５（Ａ）から（Ｆ）は、第１実施形態に係る開口可能部であるスリット部を示す正面図である。図６（Ａ）は、スリット部と吸収体との位置関係を示す正面図である。図６（Ｂ）は、スリット部と吸収体との位置関係を示す展開図である。図７（Ａ）から（Ｆ）は、開口可能部の両端部の形状を示す図である。図８（Ａ）及び（Ｂ）は、補強部材である補強シートの装着状態を示す図である。図９（Ａ）は、補助シートであるマスキングシートを示す斜視分解組立図である。図９（Ｂ）及び（Ｃ）は、マスキングシートの他の形態を示す斜視分解組立図である。図１０（Ａ）は、吸収性部材を配置したマスキングシートを示す斜視分解組立図である。図１０（Ｂ）は、図１０（Ａ）のＹ−Ｙ断面図である。
【００３１】
図１１（Ａ）は、マスキングシートの接合状態を示す正面図である。図１１（Ｂ）から（Ｆ）は、マスキングシートの接合状態の他の形態を示す正面図である。図１２（Ａ）は、マスキングシートの接合状態を示す断面図である。図１２（Ｂ）から（Ｅ）は、マスキングシートの接合状態の他の形態を示す部分断面図である。図１３（Ａ）は、弾性部材の配置位置を示す正面図である。図１３（Ｂ）は、弾性部材の配置位置の他の形態を示す正面図である。図１４（Ａ）は、第１実施形態に係る使い捨ておむつの開口伸縮領域を示す斜視図である。図１４（Ｂ）は、開口伸縮領域が伸張することにより、スリット部が開口した状態を示す図である。図１５（Ａ）は、第１実施形態に係る使い捨ておむつの弾性後身頃領域を示す斜視図である。図１５（Ｂ）は、弾性後身頃領域が伸張することにより、スリット部が開口した状態を示す図である。図１６（Ａ）は、第１実施形態に係る使い捨ておむつの弾性境界領域を示す斜視図である。図１６（Ｂ）は、弾性境界領域が伸張することにより、開口部が開口した状態を示す図である。図１７は、第１実施形態に係る使い捨ておむつの着用状態を示す斜視図である。図１８は、第１実施形態に係る使い捨ておむつのスリット部を開口させた状態を示す斜視図である。図１９は、第２実施形態に係る使い捨ておむつの着用状態を示す斜視図である。図２０は、第２実施形態に係る使い捨ておむつの薄肉部を開口させた状態を示す斜視図である。
【００３２】
［１］第１実施形態
［１．１］全体構成
本発明の実施形態におけるパンツ型の使い捨ておむつ１を用いて、本発明に係る使い捨ておむつを説明する。図１及び図２に示すように、使い捨ておむつ１は、当該使い捨ておむつ１の外形を形成し、装着時における前身頃２、後身頃３及び股間部４を構成するシャーシー１３と、シャーシー１３の肌当接面側に設けられ、表面層を構成する略縦長に形成された液透過性の表面シート１１と、表面シート１１の一方側であるシャーシー１３の非肌当接面側に設けられ、裏面層を構成する略縦長に形成された液不透過性の裏面シート１４と、表面シート１１とシャーシー１３との間に配置され、吸収層を構成する略縦長に形成された液保持性の吸収体１２と、を有する。
【００３３】
ここで、略縦長とは、例えば、長手方向と短手方向とを有する略矩形のものを含むものとし、また、長手方向に伸びる側辺の一部が長手方向に伸びる幅方向中心線に向かって窪んだもの、若しくは、長手方向に伸びる側辺の一部が長手方向に伸びる幅方向中心線と反対方向に隆起したものであってもよい。すなわち、略縦長に形成された吸収体１２は、長手方向の両側辺の一部が長手方向に伸びる幅方向中心線に向かって窪んだもの、若しくは、長手方向に伸びる幅方向中心線と反対方向に隆起したものであってもよい。言い換えると、吸収体１２は、吸収体１２の長手方向の一部に幅方向における長さが異なるものであってもよい。また、吸収体１２は、使い捨ておむつ１の幅方向に縦長になるように配置されてもよく、使い捨ておむつ１の長手方向に縦長になるように配置されてもよい。
【００３４】
また、前身頃２と後身頃３とは、例えば、使い捨ておむつ１の長手方向を二分する幅方向中心線Ｃ２により区別されるものを含む。
【００３５】
表面シート１１及び吸収体１２は、シャーシー１３の肌当接面側において、シャーシー１３の前身頃２から股間部４を介して後身頃３まで配置される。また、裏面シート１４は、シャーシー１３の非肌当接面側において、シャーシー１３の前身頃２から股間部４を介して後身頃３まで配置される。これにより、例えば、着用者の排泄部から排泄された尿等の排泄物は、表面シート１１における液透過領域を透過して、吸収体１２で吸収されるが、非肌当接面側に配置される裏面シート１４は、液不透過性であるため、尿等の排泄物は非肌当接面側には透過せず、吸収体１２に吸収された状態で保持され、外部への漏れが防止される。
【００３６】
なお、吸収体１２は、ティッシュ（図示せず）や親水性不織布（図示せず）に包まれた状態で配置してもよい。例えば、親水性不織布に包まれている場合、表面シート１１を用いない構成や表面シート１１を部分的にのみ使用する構成とすることができる。これにより、例えば、生産コストの減少を図ることが可能になる。さらに、裏面シート１４は、裏面シート１４の非肌当接面側に不織布等を接合させたものを使用してもよい。裏面シート１４の非肌当接面側に不織布等を接合させることにより、着用者の装着時等における肌触りが向上するためである。また、裏面シート１４にフィルムを使用した場合には、フィルムに不織布等を接合させることにより、例えば、フィルムの擦れから生じる不快な音の発生を防止できるためである。
【００３７】
シャーシー１３には、装着時における前身頃２の所定の位置に開口可能部であるスリット部５が形成されている。スリット部５は、使い捨ておむつ１の長手方向に伸び、幅方向を二分する略中心線Ｃ１を跨いで互いに離間した点のそれぞれを結ぶ切断誘導線に沿って形成される。具体的には、スリット部５は、切断誘導線に沿ってスリット状に切断した切断部５ａを間欠的に連続して形成したものである。言い換えると、スリット部５は、切断誘導線に沿って、切断部５ａと非切断部５ｂとを交互に配置することにより形成される。スリット部５の略中央には、スリット部５の一部を所定の長さで切断することによりスリット部５を予め開裂させた状態を形成する開裂部５１が設けられている。また、スリット部５の両端には、穴部５２、５２が設けられている。さらに、穴部５２、５２を含むスリット部５の両端近傍には、補強部材である補強シート５３、５３が配置されている。なお、スリット部５は、補助シートであるマスキングシート６に覆われている。
【００３８】
ここで、第１実施形態に係る使い捨ておむつ１は、シャーシー１３の前身頃２及び後身頃３における接合部であるサイドシール部８、８において、前身頃２と後身頃３とを超音波シール等により接合することによりパンツ型に形成される。すなわち、使い捨ておむつ１は、着用状態において着用者の胴周りに位置する胴開口部９と、着用者の両足のそれぞれに位置する一対の脚開口部７、７と、を有する。なお、サイドシール部８、８における他の接合方法としては、例えば、熱シール及びホットメルト接着剤等による接合が例示できる。
【００３９】
図２（Ａ）及び（Ｂ）にパンツ型に形成された使い捨ておむつ１を示す。図２（Ａ）及び（Ｂ）に示すように、パンツ型に形成された第１実施形態に係る使い捨ておむつ１は、装着時において着用者の腹部側に配置される前身頃２と、装着時において着用者の背部側に配置される後身頃３と、着用者の股間部近傍に配置される股間部４と、を有する。そして、使い捨ておむつ１は、前身頃２と後身頃３とをサイドシール部８、８において接合することにより胴開口部９と、一対の脚開口部７、７と、が形成される。
【００４０】
パンツ型に形成された着用前の状態における使い捨ておむつ１の股上方向の長さ（股間部４から胴開口部９までの股上方向における長さの最大長）としては、例えば、３５０ｍｍから４５０ｍｍが例示できる。また、使い捨ておむつ１の股上方向と直行する方向（以下、幅方向という）の展開状態における各サイドシール部８、８間の最大長としては、例えば、４２５ｍｍから９００ｍｍが例示できる。なお、展開状態とは、図１に示すような前身頃２と後身頃３とが非接合である状態をいう。また、最大長とは、後述する糸状の弾性部材又は伸縮性を有する基材シート等の弾性力により縮んだ状態の使い捨ておむつ１を幅方向、及び股上若しくは股下方向に引き伸ばすことにより得られる長さを含む。
【００４１】
使い捨ておむつ１を子供用として使用する場合には、例えば、パンツ型に形成された着用前の状態における子供用の使い捨ておむつ１の股上方向の長さとしては、２００ｍｍから３００ｍｍが例示できる。また、子供用の使い捨ておむつ１の幅方向の展開状態における各サイドシール部８、８間の最大長としては、例えば、３００ｍｍから４５０ｍｍが例示できる。
【００４２】
なお、本実施形態においては、図３（Ａ）に示すように、前身頃２と後身頃３とを所定のサイドシール部８、８において接合することにより胴開口部９及び一対の脚開口部７、７を有するパンツ型に形成される使い捨ておむつ１について説明するが、本発明においてはこれに限らない。例えば、図３（Ｂ）に示すように、前身頃２と後身頃３とを係止部材８Ａ等で係止させることにより着用可能な展開型の使い捨ておむつ１Ａに用いてもよい。また、例えば、パンツ型に形成された使い捨ておむつの前身頃２及び後身頃３の所定のサイドシール部８、８において、展開型の使い捨ておむつ１Ａに用いられるような再係止が可能な面ファスナー等の係止部材を設けることにより、パンツ型の使い捨ておむつでありながら容易に当該おむつの係止を解除し、パンツ型の使い捨ておむつを展開及び再係止させることが可能な使い捨ておむつに用いてもよい。
【００４３】
また、本実施形態においては、裏面シート１４をシャーシー１３の非肌当接面側に配置したが、本発明においてはこれに限らない。例えば、裏面シート１４は、吸収体１２とシャーシー１３との間に配置してもよい。また、裏面シート１４は、シャーシー１３が複数のシート部材から形成される場合においては、それぞれのシート部材の間に配置してもよい。
【００４４】
さらに、本発明においては、弾性部材と防漏シートを用いて形成される防漏壁、いわゆる立体ギャザー（図示せず）を使い捨ておむつ１の吸収体１２の幅方向の両端に沿って配置してもよい。例えば、本発明に係る使い捨ておむつ１は、立体ギャザーとして、吸収体１２と、シャーシー１３若しくは裏面シート１４との間から吸収体１２の幅方向に延出するように防漏シートを設け、その防漏シートの幅方向端部に少なくとも１本以上の糸状の弾性部材を配置し、ホットメルト接着剤等により固定することができる。防漏シートは、吸収体１２の幅方向に延出したままの状態であってもよく、吸収体１２の幅方向における中心方向に折り返すことにより、その折り返し部が吸収体１２の肌当接面側に配置されるようにしてもよい。
【００４５】
なお、立体ギャザーは、吸収体１２から吸収体１２の幅方向に延出している場合においては、吸収体１２の長手方向における略中心領域において、吸収体１２と立体ギャザーにおける弾性部材との距離が２０ｍｍ以上の範囲にあることが好ましい。また、立体ギャザーを折り返して配置されている場合においては、略中心領域において立体ギャザーの防漏シートを幅方向に広げた状態において、吸収体１２と立体ギャザーにおける弾性部材との距離が２０ｍｍ以上の範囲にあることが好ましい。
【００４６】
図４（Ａ）及び（Ｂ）に示すように、使い捨ておむつ１のシャーシー１３の前身頃２及び後身頃３には、伸縮性不織布や伸縮フィルム等の伸縮性を有する弾性シートが配置されている。これにより、使い捨ておむつ１は、伸張性若しくは伸縮性を備える。なお、使い捨ておむつ１は、例えば、シャーシー１３の前身頃２及び後身頃３の全部又は一部に糸状の弾性部材を配置することにより伸張性若しくは伸縮性を備えることとしてもよく、例えば、前身頃２及び後身頃３の一部に弾性シートを配置することにより伸張性若しくは伸縮性を備えることとしてもよい。このように、使い捨ておむつ１は、例えば、シャーシー１３の前身頃２及び後身頃３の全部である胴回り若しくは、この胴回りの一部に弾性シート若しくは弾性部材を用いることにより、伸張性若しくは伸縮性を備える。
【００４７】
弾性シート等による伸張性若しくは伸縮性を備える部位としては、例えば、胴開口部９の後身頃３における略中央と、スリット部５の股下方向側にある股間部４の近傍と、をパンツ形状におけるシャーシー１３の胴回りに沿って繋ぐことにより形成される開口伸縮領域５５の少なくとも一部が伸長若しくは伸縮するものであればよく、例えば、開口伸縮領域５５の一部であるスリット部５の股下方向側であってもよい。また、例えば、前身頃２及び後身頃３との接続又は係止位置を含む境界部近傍の全部又は一部を含む弾性境界領域５７であってもよい。さらに、胴開口部９の一部である後身頃３近傍の全部又は一部を含む弾性後身頃領域５６であってもよい。使い捨ておむつ１は、開口伸縮領域５５、弾性境界領域５７及び弾性後身頃領域５６の少なくともいずれかを備えていればよく、それぞれを組み合わせたものを備えていてもよい。
【００４８】
ここで、使い捨ておむつ１は、２０Ｎの引張応力でスリット部５の股間部４側を股下方向に引っ張った場合に、開口伸縮領域５５の非伸張時の長さを１００％とすると、開口伸縮領域５５の非伸張時の長さに対する開口伸縮領域５５の伸長時の長さが１１０％から４００％まで伸長可能なものを用いることができる。好ましくは、１５０％から４００％まで伸長可能なものを用いることができる。開口伸縮領域の伸長時の長さが１１０％以上なるまで伸長可能であれば、スリット部５を開口させた場合にスリット部５は、男性性器の取出し口として使用することが可能であるためである。また、開口伸縮領域の伸長時の長さが１５０％から４００％まで伸長可能であれば、使い易さが向上するためである。
【００４９】
また、使い捨ておむつ１若しくはシャーシー１３に使用される弾性シートとしては、例えば、非伸張時に対する伸張時の伸縮倍率が１．１倍から４．０倍のものを用いることができる。すなわち、使い捨ておむつ１は、最大伸長倍率が１．１倍から４．０倍の弾性シート、若しくは、最大伸長倍率が１．１倍から４．０倍まで伸張若しくは伸縮可能なシャーシー１３を用いることができる。
【００５０】
使い捨ておむつ１は、胴開口部９の周領域において、胴開口部９を弾性化させるために糸状の弾性部材９１を配置することにより形成される、いわゆる胴回りギャザーを有している。胴回りギャザーは、例えば、着用中におけるパンツ型の使い捨ておむつ１の着用位置や着用状態を好適に保つことを可能にする。また、使い捨ておむつ１は、脚開口部７、７の周領域において、脚開口部７、７に沿った部分を弾性化させるために、糸状の弾性部材（図示せず）を配置することにより形成される、いわゆるレッグギャザーを有してもよい。レッグギャザーは、例えば、着用時における脚周りを適当に締め付けることにより漏れを防止することを可能にする。ここで、弾性部材９１は、糸状のものであってもよく、帯状のものであってもよい。また、弾性部材９１としては、例えば、伸縮性不織布（ポリウレタンとポリプロピレンの混合繊維から形成される不織布等）や伸縮フィルム等の伸縮性を有する弾性シートを用いることができる。
【００５１】
［１．２］スリット部
［１．２．１］全体
図５（Ａ）に示すように、スリット部５は、例えば、使い捨ておむつ１の長手方向に伸び、幅方向を二分する略中心線Ｃ１を跨ぐ互いに離間した点のそれぞれを結ぶ切断誘導線に沿って、スリット状の切れ目や開口等の切断部５ａを間欠的に連続して形成したものである。言い換えると、スリット部５は、例えば、ミシン目状のように切断部５ａと非切断部５ｂとを連続的に形成したものである。そして、着用者は、スリット部５における各非切断部５ｂを破断させることにより、スリット部５を開口させ、男性性器の取り出し口として使用するものである。なお、切断誘導線は、直線からなるものであってもよく、曲線からなるものであってもよい。また、直線及び曲線の組み合わせからなるものであってもよい。
【００５２】
［１．２．２］形状
スリット部５は、例えば、図５（Ａ）に示すように、幅方向を二分する略中心線Ｃ１と直行するように直線状に形成されたものであってもよく、幅方向を二分する略中心線Ｃ１と所定の角度を有するように形成されてもよい。また、例えば、図５（Ｂ）に示すように、直線を組み合わせることにより所定の形状に形成されたものであってもよい。例えば、所定の形状が山型である場合においては、略中央部が胴開口部９側に凸状に形成されたものであってもよく、股間部側に凸状に形成されたものであってもよい。また、例えば、図５（Ｃ）に示すように、曲線からなる波状に形成されたものであってもよく、直線と曲線の組み合わせからなるものであってもよい。また、例えば、図５（Ｄ）及び（Ｅ）に示すように、例えば、切断部５ａ及び非切断部５ｂにより、多角形や円形等の図形を構成するものであってもよい。
【００５３】
また、例えば、図５（Ｅ）に示すように、吸収体１２の一部にスリット部５を設けるための領域を形成し、吸収体１２の内部にスリット部５を設けてもよい。さらに、図５（Ｄ）に示すように、吸収体１２を分割し、各吸収体１２の間にスリット部５を設けるための領域を形成し、吸収体１２の内部にスリット部５を設けてもよい。
【００５４】
ここで、スリット部５は、前身頃２における吸収体１２の外縁から離間した位置に形成される。言い換えると、スリット部５は、例えば、吸収体１２の幅方向における外縁から離間した位置に配置されてもよく、例えば、吸収体１２の長手方向における外縁から離間した位置に配置されてもよい。また、例えば、図５（Ｆ）に示すように、吸収体１２の一部が切り欠かれた状態にある場合には、スリット部５は、吸収体１２の切り欠かれた部分と略平行に離間した位置に配置してもよい。つまり、スリット部５は、使い捨ておむつ１の長手方向に伸び、幅方向を二分する略中心線Ｃ１に対して、所定の角度を有するように、例えば、斜め方向に湾曲若しくは直線状に形成してもよい。
【００５５】
［１．２．３］大きさ
使い捨ておむつ１の展開状態におけるスリット部５の最大長としては、例えば、１００ｍｍ以上であって、使い捨ておむつ１の展開状態における幅方向の最大長の６０％以内の範囲の長さを例示できる。好ましくは、１２０ｍｍ以上であって、使い捨ておむつ１の幅方向の長さの４０％以内の範囲における長さを例示できる。着用者が自らの男性性器を取り出すためには、スリット部５の長さは、１００ｍｍ以上の長さが必要であるためであり、スリット部５の長さを使い捨ておむつ１の幅方向の長さの６０％の範囲を超える長さにすると、着用時における使い捨ておむつの引き上げが困難となり、使いづらいものとなってしまうためである。例えば、使い捨ておむつ１の幅方向における長さが５５０ｍｍの場合、スリット部５の長さは２００ｍｍを例示できる。
【００５６】
間欠的に連続して形成される切断部５ａの長さとしては、例えば、１．０ｍｍから２０．０ｍｍの範囲を例示できる。好ましくは、２．０ｍｍから８．０ｍｍの範囲を例示できる。また、切断部５ａのピッチである非切断部５ｂの長さとしては、例えば、０．５ｍｍから５．０ｍｍの範囲を例示できる。好ましくは、１．０ｍｍから３．０ｍｍの範囲を例示できる。なお、切断部５ａは、非切断部５ｂと同じ長さか、若しくは、非切断部５ｂよりも長いことが好ましい。
【００５７】
［１．２．４］配置位置
図６（Ａ）に示すように、スリット部５は、前身頃２における胴周囲２３にあることが好ましい。なお、胴周囲２３とは、使い捨ておむつ１の股間部４を除く前身頃２及び後身頃３を含む。スリット部５の配置位置としては、例えば、図６（Ｂ）に示すように、胴開口部９の端部からスリット部５の下端までの距離をｃとし、スリット部５の下端から展開状態における幅方向に伸び、長手方向を二分する略中心線Ｃ２（以下、略中心線Ｃ２という。）までの距離をｄとし、胴開口部９端部から略中心線Ｃ２までの距離をｅとした場合において、ｄ／ｃに該当する値が、０．６５以上であり、８．０以下の範囲にあることが好ましい。
【００５８】
具体的には、スリット部５は、胴開口部９の端部からスリット部５の下端までの距離ｃが５０ｍｍから２７０ｍｍの範囲にあることが好ましい。また、スリット部５の下端から展開状態における略中心線Ｃ２までの距離ｄが１８０ｍｍから４００ｍｍの範囲にあることが好ましい。また、胴開口部９端部から展開状態における略中心線Ｃ２までの距離ｅが３５０ｍｍから４５０ｍｍの範囲にあることが好ましい。
【００５９】
また、スリット部５は、吸収体１２よりも胴開口部９側に設けられることが好ましい。すなわち、スリット部５は、吸収体１２の前身頃２における長手方向の外縁から展開状態における略中心線Ｃ２までの距離をｆとし、スリット部５の下端から吸収体１２の前身頃２における長手方向の外縁までの距離をｇとした場合において、ｄ／ｆに該当する値が、１．０よりも大きく、２．３よりも小さい範囲にあることが好ましい。具体的には、スリット部５は、吸収体１２の前身頃２における長手方向の外縁から展開状態における略中心線Ｃ２までの距離ｆが１７５ｍｍから３９５ｍｍの範囲にあることが好ましい。また、スリット部５の下端から吸収体１２の前身頃２における長手方向の外縁までの距離ｇが５ｍｍから２２５ｍｍの範囲にあることが好ましい。
【００６０】
例えば、第１実施形態に係る使い捨ておむつ１よりも小さい、いわゆる子供が使用する子供用の使い捨ておむつとしては、スリット部５は、胴開口部９端部からスリット部５の下端までの距離ｃが３５ｍｍから１８０ｍｍの範囲にあることが好ましい。また、スリット部５の下端から展開状態における略中心線Ｃ２までの距離ｄが１２０ｍｍから２６５ｍｍの範囲にあることが好ましい。また、胴開口部９の端部から展開状態における略中心線Ｃ２までの距離ｅが２００ｍｍから３００ｍｍの範囲にあることが好ましい。
【００６１】
同様に、子供用の場合の使い捨ておむつ１は、吸収体１２の前身頃２における長手方向の外縁から展開状態における略中心線Ｃ２までの距離ｆが１１５ｍｍから２６０ｍｍの範囲にあることが好ましい。また、スリット部５の下端から吸収体１２の前身頃２における長手方向の外縁までの距離ｇが５ｍｍから１５０ｍｍの範囲にあることが好ましい。
【００６２】
［１．３］開裂部
スリット部５は、略中央部に予めスリット部５の一部を開裂させた開裂部５１が設けられている。開裂部５１は、例えば、着用者がスリット部５を開口させる際に、指を掛けることが可能な大きさを有していればよく、例えば、開裂部５１の長さとしては、２５ｍｍから６０ｍｍの範囲を例示できる。また、例えば、開裂部５１は、切断部５ａと同様のスリット状のものであってもよく、矩形状や多角形状を有していてもよい。また、例えば、楕円形等の湾曲部を有する形状であってもよい。なお、開裂部５１は、スリット部５の切断部５ａをスリット部５の略中央に形成した場合においては、この切断部５ａを開裂部５１としてもよい。このように、開裂部５１を設けることにより、着用者は、指等をスリット部５に差し込むことが可能となり、そこから容易にスリット部５を開口させることが可能になる。
【００６３】
また、スリット部５の一部、すなわち、開裂部５１にかかる部分を非肌当接面側に突出するように形成した場合においては、開裂部５１に指を差し込むほかに、開裂部５１の突出した部分を摘まむことが可能となり、容易にスリット部５を開口させることが可能となる。この場合、当該開裂部５１にかかる部分、すなわち、突出するように形成された部分に、剛性の高い材料を配置することが好ましい。
【００６４】
［１．４］穴部
スリット部５の両端には、穴部５２、５２が設けられている。穴部５２、５２は、耐引裂かれ強度を向上させるためのものであり、例えば、着用者がスリット部５を開口させた場合に、スリット部５の両端にかかる引裂き応力を分散させることが可能になる。具体的には、穴部５２、５２を設けることにより、スリット部５の端部に発生していた引裂き応力を点ではなく、穴部５２、５２の曲面で受けることが可能となり、穴部５２、５２を設けない場合に比して、耐引裂かれ強度を向上させることが可能となる。穴部５２、５２は、例えば、図７（Ａ）に示すように、円形のものであってもよく、例えば、図７（Ｂ）に示すように、楕円形のものであってもよい。また、穴部５２、５２は、例えば、スリット部５の長手方向両端、すなわち外側に円形や楕円形等の滑らかな曲線を備えるものであればよく、例えば、図７（Ｃ）に示すように、略半円形のものであってもよく、例えば、図７（Ｄ）に示すように、雫形状のものであってもよい。
【００６５】
さらに、図７（Ｅ）及び（Ｆ）に示すように、穴部５２、５２の代わりに、例えば、スリット部５の端部がスリット部５の伸びる方向と異なる方向に湾曲する湾曲部５２’、５２’を備えるものであってもよい。湾曲部５２’、５２’を設けることにより、引裂き応力を分散させることが可能となるためである。なお、湾曲部５２’、５２’は、曲線からなるものであってもよく、直線を屈曲させたものを用いてもよい。
【００６６】
このように、スリット部５の両端に滑らかな曲線を有する穴部５２、５２を設けることにより、着用者がスリット部５を開口させた場合において、引裂き応力が一点に集中することが回避可能となり、耐引裂かれ強度を向上させることが可能となる。また、穴部５２、５２の代わりにスリット部５の両端にスリット部５の延びる方向と異なる方向に伸びる湾曲部５２’、５２’を設けることにより、例えば、引裂き応力を湾曲部５２’、５２’の接線方向に逃がすことが可能になり、耐引裂かれ強度を向上させることが可能となる。
【００６７】
［１．５］補強シート
図８（Ａ）に示すように、使い捨ておむつ１におけるスリット部５の両端には、補強部材である補強シート５３、５３が設けられている。具体的には、スリット部５の両端には、略矩形に形成された一対の補強シート５３、５３が設けられている。なお、補強シート５３、５３は、スリット部５の両端に設けるが、補強シート５３、５３がスリット部５と重なる部分においては、予め当該部分に重なる補強シート５３、５３を切断しておくことが好ましい。スリット部５にかかる部分に補強シート５３、５３を設けた場合においては、スリット部５の非切断部５ｂが切断しにくくなるためである。
【００６８】
補強シート５３、５３は、例えば、幅方向、長手方向のいずれにおいても引裂き強度（測定法：Ａ−１法（シングルタング法）ＪＩＳ  Ｌ  １９０６）が５Ｎ以上を有する不織布、若しくはフィルム等の部材を用いることができる。補強シート５３、５３の大きさとしては、例えば、縦（股上方向）６０ｍｍ×横（幅方向）４０ｍｍの大きさを例示できる。なお、補強シート５３、５３は、例えば、ホットメルト接着、熱シール、超音波シール等を用いてスリット部５の両端に接合することができる。また、図８（Ｂ）に示すように、前身頃２を構成するシャーシー１３ａ、１３ｂが複数により形成されている場合においては、補強シート５３、５３をシャーシー１３ａ、１３ｂの間に配置し、両面から補強シート５３、５３を接合若しくは固定してもよい。なお、本実施形態においては、補強シート５３、５３は、略矩形に形成したものを用いたが、本発明においてはこれに限らない。例えば、円形、楕円形、多角形等、様々な形状のものをもちいることができる。
【００６９】
［１．６］マスキングシート
図９（Ａ）に示すように、マスキングシート６は、糸状に形成された複数の弾性部材６３を一対の帯状の基材シート６１、６１で挟み込むことにより形成される。具体的には、伸張させた複数の弾性部材６３を不織布等の基材シート６１、６１で挟み込むと共に、基材シート６１、６１のそれぞれをホットメルト接着剤等で接着することにより形成される。マスキングシート６は、接着後、弾性部材６３の張力を解除することにより、いわゆるギャザーが形成され、このギャザーの分だけ伸張可能となる。このように、マスキングシート６は、例えば、着用時においては、弾性部材６３の弾性力により着用者の腹部に当接し着用者の肌の露出を防止するが、着用者がスリット部５を開口させた場合においては、スリット部５の開口状態に追従し、ギャザーの分だけ伸張可能となる。
【００７０】
なおマスキングシート６は、スリット部５を覆うようにしてシャーシー１３の肌当接面側、若しくは、非肌当接面側に接合される。これにより、マスキングシート６の長手方向における長さは、少なくともスリット部５の長さよりも長くなるように形成されていればよい。すなわち、使い捨ておむつ１の幅方向における長さと略同じ長さであってもよく、スリット部５を覆うことが可能な長さであってもよい。
【００７１】
図９（Ｂ）に示すように、マスキングシート６は、例えば、帯状に形成された弾性部材６４と基材シート６１とを接着することにより形成してもよい。また、マスキングシート６は、例えば、帯状の弾性部材６４を一対の基材シート６１、６１で挟み込み、基材シート６１、６１のそれぞれを接着することにより形成してもよい。さらに、マスキングシート６は、例えば、一枚の基材シート６１を折りたたみ、その間に弾性部材６３、６４を挟み込んで形成してもよい。なお、マスキングシート６は、帯状の弾性部材として伸縮性不織布等の基材シートを用い、これをマスキングシート６としてもよい。
【００７２】
図９（Ｃ）に示すように、マスキングシート６は、例えば、不織布等の基材シート６１に、ポリエチレン（ＰＥ）やポリプロピレン（ＰＰ）のフィルム等の液不透過性シート６５を張り合わせることにより形成してもよい。基材シート６１が複数枚積層させたものからなる場合においては、これらの基材シート６１、６１の間に液不透過性シート６５を挟んで形成してもよい。
【００７３】
また、マスキングシート６は、図１０（Ａ）及び（Ｂ）に示すように、その一部又は全部に吸収性材料からなる吸収体６７と、この吸収体６７を覆う液不透過性シート６６を非肌当接面側又は肌当接面側に配置してもよい。マスキングシート６の全部又は一部に吸収体６７を設けることにより、例えば、男性性器を取り出す途中に尿漏れを起こしても、スリット部５の吸収体６７で漏れた尿を吸収することが可能となるため、着衣を汚すことを防止することができる。
【００７４】
マスキングシート６は、前身頃２に形成されるスリット部５の全部を覆うように、接合部６８でシャーシー１３と接合される。ここで、シャーシー１３とマスキングシート６との接合部６８としては、例えば、図１１（Ａ）に示すように、マスキングシート６は、スリット部５の股下方向側及びマスキングシート６の長手方向両端側の前身頃２における全部においてシャーシー１３と接合してもよく、例えば、図１１（Ｂ）に示すように、スリット部５の股上方向側及びマスキングシート６の長手方向両端側の前身頃２における全部においてシャーシー１３と接合してもよい。なお、マスキングシート６は、スリット部５の両端の一部を含むようにシャーシー１３と接合されてもよい。また、例えば、図１１（Ｃ）に示すように、マスキングシート６は、スリット部５の股上方向側及びマスキングシート６の長手方向両端側の少なくとも一部において、シャーシー１３と接合させてもよく、例えば、図１１（Ｄ）に示すように、マスキングシート６は、スリット部５の股下方向側及びマスキングシート６の長手方向両端側の少なくとも一部において、シャーシー１３と接合させてもよい。また、例えば、図１１（Ｅ）に示すように、マスキングシート６は、スリット部５の股下方向側の一部及びマスキングシート６の長手方向両端側の少なくとも一部においてシャーシー１３と接合してもよい。また、例えば、図１１（Ｆ）に示すように、マスキングシート６は、スリット部５の股下方向側の一部及びマスキングシート６の長手方向両端側の前身頃２における一部においてシャーシー１３と接合してもよい。なお、接合部６８は、シャーシー１３と連続的に接合するものであってもよく、所定間隔をもって接合するものであってもよい。
【００７５】
また、図１２（Ａ）に示すように、マスキングシート６は、シャーシー１３の肌当接面側におけるスリット部５の股上方向側に設けられる接合部６８においてシャーシー１３と接合してもよく、例えば、図１２（Ｂ）に示すように、マスキングシート６は、シャーシー１３の非肌当接面側におけるスリット部５の股上方向側に設けられる接合部６８においてシャーシー１３と接合してもよい。さらに、例えば、図１２（Ｃ）に示すように、マスキングシート６は、シャーシー１３の肌当接面側におけるスリット部５の股下方向側に設けられる接合部６８においてシャーシー１３と接合してもよく、例えば、図１２（Ｄ）に示すように、マスキングシート６は、シャーシー１３の非肌当接面側におけるスリット部５の股下方向側に設けられる接合部６８においてシャーシー１３と接合してもよい。なお、図１２（Ｅ）に示すように、マスキングシート６をシャーシー１３の肌当接面側におけるスリット部５の股下方向側に設けられる接合部６８においてシャーシー１３と接合させる場合においては、マスキングシート６は、表面シート１１の一部で接合部６８を覆うように形成してもよい。
【００７６】
このように、マスキングシート６は、その全部又は一部に弾性部材６３を備え、例えば、スリット部５の非肌当接面側にマスキングシート６を設けた場合においては、スリット部５におけるシャーシー１３を着用者の肌等に当接させることが可能になると共に、着用者の肌等が露出されることを防止することが可能になる。また、肌当接面側にマスキングシート６を設けた場合においては、スリット部５におけるシャーシー１３を着用者の肌側に引き寄せることが可能となると共に、着用者の肌等が露出されることを防止することが可能になる。
【００７７】
ここで、図１３（Ａ）に示すように、マスキングシート６をシャーシー１３の肌当接面側のスリット部５の股上方向側である胴開口部９側において接合した場合（例えば、図１２（Ａ）参照）には、スリット部５の股下方向側である股間部４側にある股下領域５４ａの少なくとも一部に弾性部材を設けることが好ましい。弾性部材は、糸状のものであってもよく、シート状のものであってもよい。
【００７８】
また、図１３（Ｂ）に示すように、マスキングシート６をシャーシー１３の肌当接面側のスリット部５の股下方向側である股間部４側において接合した場合（例えば、図１２（Ｃ）参照）には、スリット部５の股上方向側である胴開口部９側の股上領域５４ｂの少なくとも一部に弾性部材を設けることが好ましい。なお、弾性部材は、糸状のものであってもよく、シート状のものであってもよい。
【００７９】
このように、スリット部５は、弾性部材を配置したマスキングシート６をシャーシー１３に接合することにより、着用者の肌を露出することなく、必要に応じてスリット部５を開閉することが可能になる。
【００８０】
［１．７］その他
［１．７．１］開口補助具
本発明に係る使い捨ておむつ１は、例えば、開口可能部であるスリット部５の股間部４側又は胴開口部９側に開口補助具である取手部（図示せず）を設けてもよい。取手部としては、例えば、紐状若しくは帯状の基材シート等をシャーシー１３の前身頃２に接合してもよく、舌状の突起部を設けてもよい。このように、開口補助具である取手部を設けることにより、例えば、着用者は、取手部を用いてスリット部５を容易に開口させることが可能となる。また、例えば、介護を必要とする人が着用した場合においても、介護者が取手部を引っ張ることによりスリット部５を容易に開口させることが可能となるため、患者の排尿等の補助行為も容易となる。
【００８１】
［１．７．２］案内標識
本発明に係る使い捨ておむつ１は、例えば、開口可能部であるスリット部５の近傍に案内標識（図示せず）を設けてもよい。案内標識としては、例えば、スリット部５の股間部４側、若しくは胴開口部９側、或いは、スリット部５周域に色彩を付すものであってもよい。このように、色彩を付すことにより、例えば、着用者にスリット部５の位置を容易に認識させることが可能となるため、排尿行為を容易とすることができるためである。
【００８２】
また、案内標識は、矢印等の記号や文字等を付するものであってもよい。このように、矢印等の記号や文字を付することにより、例えば、着用者自身だけでなく、介護者等が着用者の排尿の補助をする場合においても、スリット部５の位置や開口方向を間違えることなく容易に開口させることができる。
【００８３】
さらに、案内標識としては、例えば、スリット部５の股間部４側、若しくは胴開口部９側、或いは、スリット部５周域にエンボス加工等による凹凸加工を施したり、凹凸を有する基材シートを接合してもよい。このように、スリット部５の周域等に凹凸加工を施すことにより、着用者は、スリット部５の周域等を触るだけでスリット部５の位置の確認が可能となるため、排尿行為を容易とすることができるためである。
【００８４】
［１．８］使用形態
次に、本発明の第１実施形態における使い捨ておむつ１の使用態様について説明する。
【００８５】
図１７に示すように、第１実施形態における使い捨ておむつ１は、パンツ型に形成されており、着用者は、通常のパンツと同様に穿き、使用することが可能な使い捨ておむつである。排尿時においては、着用者は、例えば、スリット部５に設けられた開裂部５１に指等を挿入させ、股下方向に引っ張ることにより、スリット部５を開口させる。このとき、スリット部５には、その両端に穴部５２、５２及び補強シート５３、５３が設けられているため、所定の長さを切断するにとどまり、所定の長さ以上の開裂を防止することができる。なお、使い捨ておむつ１に例えば紐状の開口補助具（図示せず）がスリット部５の股下方向側に設けられている場合においては、着用者は、その開口補助具を把持するか、指等に引っ掛け、股下方向側に開口補助具を引っ張ることにより、スリット部５の非切断部５ｂを切断させ、開口させてもよい。また、スリット部５の近傍、例えば、スリット部５の股上方向側の一部、若しくは、スリット部５の股下方向側に一部に色彩を付与するか、若しくは、凹凸を有する不織布等を配置する等の案内標識（図示せず）を付与した場合には、着用者が容易にスリット部５の位置を把握することが可能になる。
【００８６】
次いで、着用者は、開口したスリット部５の一部をさらに股下方向側へ引っ張る。これにより、図１８に示すように、シャーシー１３における所定の部位が着用者が引っ張る方向に伸長するため、着用者は、スリット部５による男性性器を取り出すための大きさの開口を確保することが可能となり、男性性器を容易に取出すことができる。ここで、シャーシー１３が伸長する部位としては、例えば、シャーシー１３の全体が伸長するものであってもよく、図１４（Ａ）に示すような、胴開口部９の後身頃３の略中央部とスリット部５の前身頃２の略中央部とをパンツ形状における外周に沿って繋ぐ領域である開口伸縮領域５５の全部若しくは一部が伸長するものであってもよい。このように、シャーシー１３における開口伸縮領域５５の全部又は一部が少なくとも伸長することにより、例えば、図１４（Ｂ）に示すように、スリット部５により形成された開口が着用者が引っ張る方向である股間部４側に伸長し、スリット部５が男性性器を取り出し可能な開口を確保することが可能となる。
【００８７】
また、スリット部５が男性性器を取り出し可能な大きさの開口を形成することができるシャーシー１３の他の伸縮部位としては、例えば、図１５（Ａ）に示すように、胴開口部９近傍の後身頃３に伸縮可能な弾性部材を用いることにより形成される弾性後身頃領域５６が例示できる。このように、少なくともシャーシー１３における弾性後身頃領域５６を伸縮可能とすることにより、例えば、図１５（Ｂ）に示すように、スリット部５により形成された開口が着用者が引っ張る方向である股間部４側に伸長し、スリット部５が男性性器を取り出し可能な開口を確保することが可能となる。
【００８８】
さらに、スリット部５が男性性器を取り出し可能な大きさの開口を形成することができるシャーシー１３の他の伸縮部位としては、例えば、図１６（Ａ）に示すように、前身頃２と後身頃３との接合又は係止位置を含む境界部近傍の全部又は一部に伸縮可能な弾性部材を用いることにより形成される弾性境界領域５７が例示できる。このように、少なくともシャーシー１３における弾性境界領域５７を伸縮可能に形成することにより、例えば、図１６（Ｂ）に示すように、スリット部５により形成された開口が着用者が引っ張る方向である股間部４側に伸長し、スリット部５が男性性器を取り出し可能な開口を確保することが可能となる。
【００８９】
なお、上記の弾性後身頃領域５６及び弾性境界領域５７は、前述した胴回りギャザー（図示せず）と併用して形成することにより伸縮可能としてもよく、弾性後身頃領域５６若しくは弾性境界領域５７のみにより伸縮可能としてもよい。また、本実施形態においては、前述したレッグギャザーを設けていないが、脚開口部７の周域に糸状の弾性部材、若しくは、伸縮性不織布や伸縮フィルム等の帯状の弾性部材を脚開口部７の全周又はその一部に配置してもよい。
【００９０】
このように、着用者は、使い捨ておむつ１の着用時においても容易に男性性器を取り出すことが可能となり、例えば、片手で男性性器を取り出すこともできる。これにより、例えば、着用者は、排尿時において、使い捨ておむつ１を脱ぐことなく排尿することが可能になる。また、スリット部５における開口方向（着用者が引張る方向）が股間部４に向かう方向であり、かつ、スリット部５が使い捨ておむつの幅方向に伸びる略縦長となっているため、例えば、右利きの人でも、左利きの人でも関係なく、容易にスリット部５を股間部４側に開口させることができる。また、スリット部５の肌当接面側若しくは非肌当接面側には、伸縮性を有するマスキングシート６が接合されているため、通常時及び排尿後には、着用者の腹部と当接可能となり、不要に肌や男性性器が露出されることを防止することができる。また、マスキングシート６に設けられた弾性部材により、着用感を向上させることが可能となる。
【００９１】
［２］第２実施形態
図１９及び図２０を用いて、本発明の第２実施形態に係る使い捨ておむつ１Ｂについて説明する。なお、第２実施形態において、特に説明しない部分は、第１実施形態と同様であり、図面に付した番号も第１実施形態と同様である場合は、同じ番号を付している。
【００９２】
図１９及び図２０に示すように、第２実施形態にかかる使い捨ておむつ１Ｂは、開口可能部を形成する構成、及びシャーシー１３の伸縮可能領域において第１実施形態と異なる。具体的には、第２実施形態に係る使い捨ておむつ１Ｂの開口可能部は、シャーシー１３の一部を他のシャーシー１３よりも肉薄に形成することにより、他の部分よりも強度を弱くし、当該部分を切り離し可能とする切断誘導線に沿って形成される薄肉部５Ｂを用いることにおいて第１実施形態と異なる。また、使い捨ておむつ１Ｂは、シャーシー１３の伸縮領域として、弾性境界領域５７を設けることにおいて、第１実施形態と異なる。
【００９３】
薄肉部５Ｂは、例えば、エンボス加工等により押圧することにより形成することができる。また、薄肉部５Ｂは、当該部分の目付を小さくすることにより形成してもよい。なお、薄肉部５Ｂは、第２実施形態においては、直線状により形成したが、本発明においてはこれに限らない。例えば、前身頃２における使い捨ておむつの長手方向に伸びて幅方向を二分する略中心線Ｃ１を跨ぐ２点を結ぶことにより形成される曲線、直線、及びそれらを組み合わせた線状に形成してもよい。具体的には、波状、山状等により形成してもよい。また、薄肉部５Ｂは、その全部又は一部を切り取り可能な構成としてもよい。例えば、薄肉部５Ｂを円形、楕円形、多角形等により形成し、当該部分の全部又は一部を切り取り可能に形成してもよい。
【００９４】
第２実施形態に係る使い捨ておむつ１Ｂは、前身頃２と後身頃３との接合又は係止位置を含む境界部近傍に糸状の弾性部材、若しくは、伸縮性不織布や伸縮フィルム等の帯状の弾性部材を配置することにより形成される弾性境界領域５７を備える。これにより、使い捨ておむつ１は、薄肉部５Ｂの股上方向側及び股下方向側を含む前身頃２において、当該部分における引張応力がそれ以外の部分の引張応力よりも小さくなる。言い換えると、弾性境界領域５７は、薄肉部５Ｂの股上方向側及び股下方向側よりも引張応力が大きく、着用者が薄肉部５Ｂの開口を引張った場合において、弾性境界領域が伸縮可能となる。
【００９５】
このように、第２実施形態における使い捨ておむつ１Ｂは、薄肉部５８の股下方向側若しくは股上方向側の引張応力を弾性境界領域５７の引張応力よりも小さくする。これにより、薄肉部５８の股下方向側若しくは股上方向側は伸縮率が小さくなり、伸び率も小さいため、装着状態における薄肉部５Ｂの長さを最大長に近い状態で保つことができる（図１９参照）。また、シャーシー１３の少なくとも一部である弾性境界領域５７が弾性力により伸張するため、薄肉部５Ｂが股下方向へ容易に伸張可能となる（図２０参照）。これにより、着用者は、容易に所定の大きさの開口を確保することが可能となる。
【００９６】
［３］各構成物
以下に、使い捨ておむつ１の各構成物について説明する。
【００９７】
［３．１］表面シート
表面シート１１は、使用時には身体側に配置されると共に排泄部に当接される。表面シート１１は、全面が液透過性であってもよく、一部が液透過性であってもよい。また、一枚のシート状部材で構成されていてもよく、複数のシート状部材が接着されて構成されていてもよい。
【００９８】
表面シート１１としては、例えば、着用中に圧縮、捩れ、摩擦等による負荷がかかっても破損しない強度をもち、肌に刺激を与えない材料が好ましく、織布、不織布、或いは、有孔プラスチックシート等、液透過性を有するシート状材料を用いることができる。不織布としては、ポリオレフィン系、ポリエステル系等の疎水性繊維に親水処理を施したものをポイントボンド、エアスルー、スパンボンド等の製法により形成したものが例示できる。また、不織布の材料としては、例えば、天然繊維、化学繊維を主体として、目付が１５ｇ／ｍ２から３５ｇ／ｍ２の範囲から得られる材料が例示できる。天然繊維としては、コットン等のセルロースを例示できる。また、化学繊維としては、レーヨン、再生セルロース、アセテート、トリアセテート等の半合成セルロース、熱可塑性疎水性化学繊維、若しくは親水化処理を施した熱可塑性疎水性化学繊維を例示できる。熱可塑性疎水性化学繊維としては、例えば、ポリエチレン（ＰＥ）、ポリプロピレン（ＰＰ）、ポリエチレンテレフタレート（ＰＥＴ）等の単繊維、ポリエチレン（ＰＥ）とポリプロピレン（ＰＰ）をグラフト重合してなる繊維、芯鞘構造等の複合繊維を例示できる。
【００９９】
有孔プラスチックシートとしては、例えば、ポリエチレン（ＰＥ）、ポリプロピレン（ＰＰ）、ポリエチレンテレフタレート（ＰＥＴ）のような熱可塑性樹脂による有孔シートや、多孔質の発泡材等を例示できる。
【０１００】
［３．２］吸収体
吸収体は、尿などの排出された体液を吸収、保持する。吸収体としては、例えば、高吸収性ポリマーと親水性繊維とが混合されて積層されたもの、或いは、高吸収性ポリマーが親水性シートにホットメルト接着剤等により固定化された構造を有してもよい。また、高吸収性ポリマーとしては、例えば、ポリアクリル酸塩系、デンプン／アクリル酸塩系などの吸収性ポリマーで、その吸水可能倍率が２０ｇ／ｇ以上、その粒度が１００μｍから８００μｍであるものが８０％以上を占めるものが例示できる。親水性繊維としては、例えば、粉砕したパルプ繊維やレーヨン繊維などが例示できる。親水性シートとしては、ポリオレフィン系、ポリエステル系などの疎水性繊維に親水処理を施したものから形成されるポイントボンド、エアスルー、スパンボンドなどの不織布（目付１５ｇ／ｍ２から３５ｇ／ｍ２）が例示できる。
【０１０１】
［３．３］シャーシー
シャーシー１３は、使い捨ておむつ１の外形を構成する。シャーシー１３は、一枚のシート状部材で構成されていてもよく、複数のシート状部材が積層されて構成されていてもよい。なお、第１実施形態においては、使い捨ておむつ１は、シャーシー１３が前身頃２、後身頃３及び前身頃２と後身頃３との間に位置される股間部４を有し、シャーシー１３の所定位置に表面シート１１、吸収体１２及び裏面シート１４が配置されたものであるが、本発明においてはこれに限らない。例えば、シャーシー１３が前身頃２及び後身頃３を有し、表面シート１１、吸収体１２及び裏面シート１４を有する股間部４が独立してシャーシー１３と接合させるものであってもよい。この場合、股間部４における裏面シート１４とシャーシーとを接合してもよく、裏面シート１４にシャーシー１３の役割をもたせるものであってもよい。
【０１０２】
シャーシー１３は、例えば、通気性であり、着用中に圧縮、捩れ、摩擦等による負荷がかかっても、破損しない強度を有し、肌に刺激を与えない材料が好ましく、不織布、或いは、有孔プラスチックシート等、通気性を有するシート状材料を用いることができる。不織布としては、ポリオレフィン系、ポリエステル系等の合成繊維をポイントボンド、エアスルー、スパンボンド等により形成したものが例示できる。不織布の材料としては、例えば、天然繊維、化学繊維を主体として、目付が１５ｇ／ｍ２から３５ｇ／ｍ２の範囲から得られる材料が例示できる。天然繊維としては、コットン等のセルロースを例示できる。また、化学繊維としては、レーヨン、再生セルロース、アセテート、トリアセテート等の半合成セルロース、熱可塑性疎水性化学繊維、若しくは親水化処理を施した熱可塑性疎水性化学繊維を例示できる。熱可塑性疎水性化学繊維としては、例えば、ポリエチレン（ＰＥ）、ポリプロピレン（ＰＰ）、ポリエチレンテレフタレート（ＰＥＴ）等の単繊維、ポリエチレン（ＰＥ）とポリプロピレン（ＰＰ）をグラフト重合してなる繊維、芯鞘構造等の複合繊維を例示できる。
【０１０３】
［３．４］裏面シート
裏面シート１４としては、例えば、ポリエチレン（ＰＥ）、ポリプロピレン（ＰＰ）等を主体とした熱可塑性フィルム、通気性の樹脂フィルム、スパンボンド又はスパンレース等の不織布に通気性の樹脂フィルムを接合したもの、ＳＭＳ（スパンボンド・メルトブロー・スパンボンド）の複数層等を用いることができる。好ましくは、例えば、ポリオレフィン系の樹脂を主体とし、目付が１０ｇ／ｍ２から３０ｇ／ｍ２の範囲から得られる樹脂フィルムが好ましい。
【０１０４】
［３．５］弾性部材
弾性部材９１としては、例えば、天然ゴムや、スチレン−ブタジエン、ブタジエン、イソプレン等の合成ゴムを用いることができる。また、シート状の弾性部材としては、例えば、目付が３０ｇ／ｍ２から８０ｇ／ｍ２の発泡ポリウレタン、目付が２０ｇ／ｍ２から７０ｇ／ｍ２のポリウレタンとポリプロピレンとの混合繊維から形成される不織布等を用いることができる。
【０１０５】
［３．６］接着剤
表面シート１１及び吸収体１２とシャーシー１３とは、それぞれがホットメルト接着剤により貼り合わされるようにして接合される。また、表面シート１１と吸収体１２とは、ホットメルト接着剤により貼り合わされるようにして接合される。なお、接合は、上記ホットメルト接着に限られず、例えば、熱シール、超音波シール等を単独又は組み合わせて使用してもよい。
【０１０６】
ホットメルト接着剤としては、ＳＢＳ（スチレン−ブタジエン−スチレン共重合物）、ＳＩＳ（スチレン−イソブチレン−スチレン共重合物）、ＳＥＢＳ（スチレン−エチレン−ブチレン−スチレン共重合物）、ＳＥＰＳ（スチレン−エチレン−プロピレン−スチレン共重合物）、ＡＰＡＯ（Ａｍｏｒｐｈｏｕｓ  Ｐｏｌｙ  Ａｌｐｈａ  Ｏｒｅｆｉｎ）などをベースポリマーとしたものが例示できる。ホットメルト接着により接合した場合における塗工パターンは、例えば、スパイラル塗工、コントロールシーム塗工、コーター塗工、カーテンコーター塗工、サミットガン塗工等が挙げられる。ホットメルト接着における接着剤の目付量は、１ｇ／ｍ２から３０ｇ／ｍ２が好ましく、さらには３ｇ／ｍ２から１０ｇ／ｍ２であることが好ましい。また、接着剤が線状に塗工されているパターンの場合には、その線径は３０μｍから３００μｍであることが好ましい。
【０１０７】
［３．７］マスキングシート
［３．７．１］基材シート
基材シート６１としては、液透過性シート、又は液不透過性シートのいずれかを用いることができる。液透過性シートを用いる場合においては、例えば、表面シート１１として例示した液透過性シートをそれぞれ用いることができる。基材シート６１は、厚さの薄い不織布であればよく、スパンボンド不織布、ポイントボンド不織布、スパンレース不織布等であり、目付が１０ｇ／ｍ２から３０ｇ／ｍ２の範囲から得られる不織布が例示できる。これは、厚さの薄い不織布のほうが、帯状部の伸縮状態のスムーズ性が高まるためである。
【０１０８】
液不透過性シートを用いる場合においては、例えば、裏面シート１４として例示した液不透過性シートをそれぞれ用いることができる。液不透過性シートは、弾性部材に対して、肌当接面側にあってもよく、非肌当接面側にあってもよい。
【０１０９】
［３．７．２］弾性部材
弾性部材６３としては、前述した弾性部材９１と同様のものを使用することができる。
【０１１０】
［３．７．３］接着剤
基材シート６１と弾性部材６３との接合、又は基材シート６１、６１同士の接合で、ホットメルト接着剤により基材シート６１、６１を接合する場合においては、スパイラル塗工、コントロールシーム塗工、コーター塗工、カーテンコーター塗工、サミットガン塗工等の塗工方法によりホットメルト接着剤を塗工し、その上に弾性部材６３を重ね、さらにその上に基材シート６１、６１を重ね合わせて接合する。なお、弾性部材６３が基材シート６１、６１から外れにくくするために、予め弾性部材６３にスリット塗工、コントロールシーム塗工などの塗工方法で塗工しておいてもよい。また、接合は、上記ホットメルト接着に限られず、例えば、熱シール、超音波シール等を単独又は組み合わせて使用してもよい。
【０１１１】
ホットメルト接着剤としては、ＳＢＳ（スチレン−ブタジエン−スチレン共重合物）、ＳＩＳ（スチレン−イソブチレン−スチレン共重合物）、ＳＥＢＳ（スチレン−エチレン−ブチレン−スチレン共重合物）、ＳＥＰＳ（スチレン−エチレン−プロピレン−スチレン共重合物）、ＡＰＡＯ（Ａｍｏｒｐｈｏｕｓ  Ｐｏｌｙ  Ａｌｐｈａ  Ｏｒｅｆｉｎ）などをベースポリマーとしたものが例示できる。ホットメルト接着における接着剤の目付量は、１ｇ／ｍ２から３０ｇ／ｍ２が好ましく、さらには３ｇ／ｍ２から１０ｇ／ｍ２であることが好ましい。また、接着剤が線状に塗工されているパターンの場合には、その線径は３０μｍから３００μｍであることが好ましい。
【図面の簡単な説明】
【０１１２】
【図１】第１実施形態に係る使い捨ておむつの展開状態における斜視分解組立図である。
【図２】本発明の第１実施形態に係る使い捨ておむつを示す図である。
【図３】パンツ型及び展開型の使い捨ておむつの装着状態を示す斜視図である。
【図４】前記実施形態に係るパンツ型の使い捨ておむつ弾性部材の配置を示す図である。
【図５】前記実施形態に係るスリット部を示す正面図である。
【図６】スリット部と吸収体等との位置関係を示す図である。
【図７】スリット部の両端の形状を示す図である。
【図８】補強部材である補強シールの装着状態を示す図である。
【図９】補助シートであるマスキングシートを示す斜視図である。
【図１０】吸収性部材を配置したマスキングシートを示す斜視展開図である。
【図１１】マスキングシートの接合状態を示す正面図である。
【図１２】マスキングシートの接合状態を示す断面図である。
【図１３】弾性部材の配置位置を示す正面図である。
【図１４】第１実施形態に係る使い捨ておむつの開口伸縮領域を示す斜視図である。
【図１５】第１実施形態に係る使い捨ておむつの弾性後身頃領域を示す斜視図である。
【図１６】第１実施形態に係る使い捨ておむつの弾性境界領域を示す斜視図である。
【図１７】第１実施形態に係る使い捨ておむつの着用状態を示す斜視図である。
【図１８】図１７のスリット部を開口させた状態を示す斜視図である。
【図１９】第２実施形態に係る使い捨ておむつの着用状態を示す斜視図である。
【図２０】図１９の薄肉部を開口させた状態を示す斜視図である。
【符号の説明】
【０１１３】
１    使い捨ておむつ
２    前身頃
３    後身頃
４    股間部
５    スリット部
５Ｂ    薄肉部
６    マスキングシート
７    脚開口部
８    サイドシール部
９    胴開口部
１１    表面シート
１２    吸収体
１３    シャーシー
１４    裏面シート
５１    開裂部
５２    穴部
５３    補強シート
５５    開口伸縮領域
５６    弾性後身頃領域
５７    弾性境界領域
【図１】
2008079837.tif 000003
【図２】
2008079837.tif 000004
【図３】
2008079837.tif 000005
【図４】
2008079837.tif 000006
【図５】
2008079837.tif 000007
【図６】
2008079837.tif 000008
【図７】
2008079837.tif 000009
【図８】
2008079837.tif 000010
【図９】
2008079837.tif 000011
【図１０】
2008079837.tif 000012
【図１１】
2008079837.tif 000013
【図１２】
2008079837.tif 000014
【図１３】
2008079837.tif 000015
【図１４】
2008079837.tif 000016
【図１５】
2008079837.tif 000017
【図１６】
2008079837.tif 000018
【図１７】
2008079837.tif 000019
【図１８】
2008079837.tif 000020
【図１９】
2008079837.tif 000021
【図２０】
2008079837.tif 000022